(57)【要約】【課題】  簡単なタッチ入力だけで画面をスクロールして、望むコンテンツの詳細情報を自在にディスプレイして見れるでなく、小さい画面を介しても全体的なコンテンツの配列状態と内容を一目で把握できる、表示装置を提供する。【解決手段】  画面をそれぞれ他の表示形式を有する二つ以上の区域（第１〜第Ｎ区域）に分割し、ユーザーが予め設定されたタッチ入力を介して第１区域の表示コンテンツを一定方向にスクロールして表示領域を移動させ、タッチスクリーンを介して入力される第１パターンの画面スクロール入力が認識されると、上記各画面区域のコンテンツをスクロール方向に移動させると共に、上記スクロールにより任意の画面区域で離脱するコンテンツをスクロール方向に隣接した区域の画面に移転させて、当該コンテンツが移転した区域の表示形式に従い自動変換して出力されるように制御することを特徴とする。【選択図】図１
2013120596.tif 000002
【特許請求の範囲】
【請求項１】
タッチスクリーンを備えた移動端末機において、
上記タッチスクリーンを介して出力するコンテンツをデータで貯蔵するメモリ、
上記タッチスクリーンを介したユーザーの入力に伴い、装置全般の動作を制御すると共に、上記メモリに貯蔵された情報に基づき上記タッチスクリーンを介して出力されるコンテンツに対し、それぞれ異なる表示形式を有する二つ以上の画面区域（第１〜第Ｎ区域）で分割出力が可能になるように制御する制御部、  及び
上記タッチスクリーンを介して入力されるユーザーのタッチ入力を分析し、画面に出力されたコンテンツに対するスクロール命令を認知するタッチインタラクションモジュールを含んで構成され、
上記制御部は、上記タッチインタラクションモジュールを介してスクロール命令を認知すると、上記分割された画面区域に表示された各区域のコンテンツをスクロール方向に移動させると共に、スクロールにより上記画面区域で離脱するコンテンツをスクロール方向に隣接した区域の画面に移転させ、当該コンテンツが移転された区域の表示形式に従い自動変換し出力されるように制御することを特徴とするダイナミックタッチインタラクションを利用した分割画面連動表示制御装置。
【請求項２】
上記メモリは、上記分割した画面区域に出力する複数のコンテンツをその表示される画面区域に従い規定された表示形式に合うように分割して貯蔵する画面表示コンテンツ貯蔵部に具現されることを特徴とする、請求項１記載のダイナミックタッチインタラクションを利用した分割画面連動表示制御装置。
【請求項３】
上記制御部は、スクロールにより区域間移転されるコンテンツを移動先の対象画面区域に表出する際に、上記移転されるコンテンツが既出力コンテンツに基づいて上記スクロール方向の後の方から連続して出現する形態にスクロールされるように制御し、区域間に移転されるコンテンツが連続性を有するように制御することを特徴とする請求項１記載のダイナミックタッチインタラクションを利用した分割画面連動表示制御装置。
【請求項４】
タッチスクリーンを介して出力するコンテンツをデータで貯蔵するメモリ、上記タッチスクリーン画面を二つ以上の区域に分割し、上記メモリに貯蔵したデータに基づき分割された各画面区域に対してそれぞれ異なる表示形式でコンテンツを出力するように制御する制御部を備えた移動端末機の画面制御方法において、
上記タッチスクリーンを介して入力される第１パターンの画面スクロール入力を認識する第１タッチ入力認識段階、
上記第１パターンの画面スクロール入力が認識されると、上記各画面区域のコンテンツをスクロール方向に移動させるコンテンツ移動段階、及び
上記スクロールにより任意の画面区域から離脱するコンテンツをスクロール方向に隣接した区域の画面に移転させながら、当該コンテンツが移転した区域の表示形式に従い自動変換して出力されるようにする表示形式変換段階を含んで構成されたことを特徴とするダイナミックタッチインタラクションを利用した分割画面連動表示制御方法。
【請求項５】
上記タッチスクリーン画面に出力されるコンテンツは、複数の項目が羅列されたメニューリストであって、
上記分割された画面区域のうち少なくともいずれかの一つは、その項目の大きさが画面区画の大きさより予め決められた割合だけ小さい複数のアイコン形式で表示され、
これを除いた残りの画面区域は、その項目の大きさが画面区画の大きさより予め決められた割合だけ大きい少なくとも一つ以上のアイコン形式に表示されることを特徴とする請求項４記載のダイナミックタッチインタラクションを利用した分割画面連動表示制御方法。
【請求項６】
上記タッチスクリーン画面に出力されるコンテンツは、ユーザーにより選択された主題の標題とその標題に対する詳細情報で構成され、
上記標題は上位の代表情報として上記分割された画面区域のうち少なくともいずれか一つの区域に複数のアイコン形式で表示され、
上記詳細情報は、上記標題がダブルクリック又はダブルタッチを介して選択された時、閲覧される下位の具体的な詳細情報であって、上記標題が表示される区域を除いた残りの画面区域のうち少なくともいずれか一つに出力されることを特徴とする請求項４記載のダイナミックタッチインタラクションを利用した分割画面連動表示制御方法。
【請求項７】
上記第１パターンの画面スクロール入力は、タッチ地点のドラッグ（ｄｒａｇ）  又はフリック（ｆｌｉｃｋ）の方法で行われることを特徴とする請求項４記載のダイナミックタッチインタラクションを利用した分割画面連動表示制御方法。
【請求項８】
上記画面区域の境界をなす区分線の領域をタッチした状態で、前後左右のうちいずれか一つの一方向にドラッグするタッチドラッグ入力段階、
該タッチドラッグ入力段階で行われるドラッグ方向に上記画面区域間区分線が移動するように制御する区分線移動段階をさらに含んで構成されたことを特徴とする請求項４記載のダイナミックタッチインタラクションを利用した分割画面連動表示制御方法。
【請求項９】
上記区分線移動段階により区分線が移動するに伴い、その大きさが大きくなる画面区域のコンテンツはその移動距離に対して予め定められた割合で大きく拡大されるようにし、その大きさが小さくなる画面区域のコンテンツはその移動距離に対して予め定められた割合で小さくなるように自動調節されることを特徴とする請求項８記載のダイナミックタッチインタラクションを利用した分割画面連動表示制御方法。
【請求項１０】
上記タッチドラッグ入力段階及び区分線移動段階が行われるに伴い、
上記区分線を境界とする両側画面区域に表示されるコンテンツの大きさと個数が、その移動距離に対して予め定められた割合で自動的に増減されることを特徴とする請求項８記載のダイナミックタッチインタラクションを利用した分割画面連動表示制御方法。
【請求項１１】
上記タッチドラッグ入力段階及び区分線移動段階を介して任意の区分線を他の区分線に重なるようにし、二つ以上の画面区域を統合させ得ることを特徴とする請求項８記載のダイナミックタッチインタラクションを利用した分割画面連動表示制御方法。
【発明の詳細な説明】
【技術分野】
【０００１】
本発明は、タッチスクリーンが備えられた移動端末機における画面出力制御技術に係り、より詳しくは、画面をそれぞれ他の表示形式を有する二つ以上の区域（第１〜第Ｎ区域）で分割し、ユーザーが予め設定されたタッチ入力を介して第１区域の表示コンテンツを一定方向にスクロールさせて表示領域を移動させると、残りの区域のコンテンツが同じ方向に連動して隣接区域の画面に移動し、当該区域の表示形式に従い自動変換されて出力されるダイナミックタッチインタラクションを利用した分割画面連動表示制御方法及びその装置に関する。
【背景技術】
【０００２】
通常、デバイス（ｄｅｖｉｃｅ）  あるいはターミナル（ｔｅｒｍｉｎａｌ）と呼ばれる端末機は技術の発展と共に、その外形はますます軽薄短小の変化を見せる反面、その用途と機能はますます多様で複雑な要素を加えている。
【０００３】
特に、最近の個人携帯端末機は、放送受信や通信機器としての伝統的な基本機能に付加し、例えば、写真や動画の撮影、音楽や映像ファイルの再生、ゲームなどユーザーの欲求に応じて様々なマルチメディア機能を行えるようより複合的な構造に進化している。
【０００４】
その結果、端末機がユーザーに伝達しなければならない情報量は次第に多くなり多様になっている反面、これとは逆に画面上に当該コンテンツを表示するディスプレイ装置はさらに薄くその大きさも小さくなって、画面に表示できるコンテンツの量が制限されたディスプレイの大きさによりさらに圧縮し省略される状況がますます深化化している。
【０００５】
先ず、携帯が便利でなければならない点が基本的に前提となる移動端末機においては、ボディー（ｂｏｄｙ）の大きさを制限するしかなく、それに伴いディスプレイ装置は必然的にボディーの大きさがより小さくなる宿命にある。
【０００６】
したがって、従来の移動端末機においては、ユーザーがいずれか一つのコンテンツを選択して当該コンテンツに含まれた下位情報をディスプレイ部に表示した状態で他のコンテンツを選択しようとする場合、表示領域の制限により他のコンテンツを選択するのが容易でなく、さらに他のコンテンツを選択するには、狭い画面内で数回のタッチ入力過程を経なければならない煩わしさがあるので、ユーザーの期待水準に合う機能性と便宜性を提供するためにはこれに対する改善策が必要である。
例えば特許文献１参照。
【先行技術文献】
【特許文献】
【０００７】
【特許文献１】特表２０１２−５２１５９５号公報
【発明の概要】
【発明が解決しようとする課題】
【０００８】
本発明は前記のような点に鑑みてなされたものであって、本発明の目的は、複数のコンテンツを制限された大きさの画面上に出力する場合において、画面をそれぞれ他の表示形式を有する二つ以上の区域（第１〜第Ｎ区域）に分割し、ユーザーが予め設定されたタッチ入力を介して第１区域の表示コンテンツを一定方向にスクロールし表示領域を移動させる場合は、残りの他の区域のコンテンツが同じ方向に連動して隣接した区域の画面に移動し、当該区域の表示形式に従い自動変換されて出力される、ダイナミックタッチインタラクションを利用した分割画面連動表示制御方法及びその装置を提供することにある。
【課題を解決するための手段】
【０００９】
このような目的を達成するための本発明のダイナミックタッチインタラクションを利用した分割画面連動表示制御装置は、タッチスクリーンを備えた移動端末機において、上記タッチスクリーンを介して出力するコンテンツをデータで貯蔵するメモリ、上記タッチスクリーンを介したユーザーの入力に従い装置全般の動作を制御すると共に、上記メモリに貯蔵された情報に基づき上記タッチスクリーンを介して出力されるコンテンツに対しそれぞれ異なる表示形式を有する二つ以上の画面区域（第１〜第Ｎ区域）に分割出力が可能になるように制御する制御部、及び上記タッチスクリーンを介して入力されるユーザーのタッチ入力を分析して画面に出力されたコンテンツに対するスクロール命令を認知するタッチインタラクションモジュールを含んで構成され、上記制御部は上記タッチインタラクションモジュールを介してスクロール命令を認知すると、上記分割された画面区域に表示された各区域のコンテンツをスクロール方向に移動させると共に、スクロールにより上記画面区域で離脱されるコンテンツをスクロール方向に隣接した区域の画面に移転し、当該コンテンツが移転した区域の表示形式に従い自動変換して出力されるように制御することを特徴とする。
【００１０】
上記メモリは上記分割した画面区域に出力する複数のコンテンツを、その表示される画面区域に従い規定された表示形式に合うように分割して貯蔵する画面表示コンテンツ貯蔵部に具現されることを特徴とする。
【００１１】
上記制御部はスクロールにより区域間移転されるコンテンツを移動先の対象画面区域に表出する際に、上記移転されるコンテンツが既出力していたコンテンツを基準に上記スクロール方向の後ろの方から連続して出現する形状にスクロールされるように制御して、区域間に移転されるコンテンツが連続性を有するように制御することを特徴とする。
【００１２】
さらに、本発明に係るダイナミックタッチインタラクションを利用した分割画面連動表示制御方法は、タッチスクリーンを介して出力するコンテンツをデータで貯蔵するメモリ、上記タッチスクリーン画面を二つ以上の区域に分割し、上記メモリに貯蔵したデータに基づいて分割された各画面区域に対してそれぞれ異なる表示形式でコンテンツを出力するように制御する制御部を備えた移動端末機の画面制御方法において、上記タッチスクリーンを介して入力される第１パターンの画面スクロール入力を認識する第１タッチ入力認識段階、上記第１パターンの画面スクロール入力が認識されると、上記各画面区域のコンテンツをスクロール方向に移動させるコンテンツ移動段階、及び上記スクロールにより任意の画面区域から離脱するコンテンツをスクロール方向に隣接した区域の画面に移転させながら、当該コンテンツが移転された区域の表示形式に従い自動変換して出力されるようにする表示形式変換段階を含んで構成されたことを特徴とする。
【００１３】
上記タッチスクリーン画面に出力されるコンテンツは複数の項目が羅列されたメニューリストであって、上記分割された画面区域のうち少なくともいずれかの一つはその項目の大きさが画面区域の大きさより予め決められた割合だけ小さな複数のアイコン形式で表示され、これを除いた残りの画面区域はその項目の大きさが画面区域の大きさより予め決められた割合だけ大きい少なくとも一つ以上のアイコン形式で表示されることを特徴とする。
【００１４】
上記タッチスクリーン画面に出力されるコンテンツはユーザーにより選択された主題の標題とその標題に対する詳細情報で構成され、上記標題は上位の代表情報として上記分割された画面区域のうち少なくとも何れか一つの区域に複数のアイコン形式に表示され、上記詳細情報は上記標題がダブルクリック又はダブルタッチを介して選択された時、閲覧される下位の具体的な詳細情報として上記標題が表示される区域を除いた残りの画面区域のうち少なくともいずれか一つに出力されることを特徴とする。
【００１５】
上記第１パターンの画面スクロール入力は、タッチ地点のドラッグ（ｄｒａｇ）  又はフリック（ｆｌｉｃｋ）の方法で実行されることを特徴とする。
【００１６】
上記画面区域の境界を成す区分線の領域をタッチした状態で前後左右のうちいずれか一つの方向にドラッグするタッチドラッグ入力段階、  このタッチドラッグ入力段階で実行されるドラッグ方向に上記画面区域間の区分線が移動するように制御する区分線移動段階をさらに含んで構成されたことを特徴とする。
【００１７】
上記区分線移動段階により区分線が移動するに伴い、その大きさが大きくなる画面区域のコンテンツは、その移動距離の大きさに対して予め決められた割合で大きく拡大されるように、その大きさが小さくなる画面区域のコンテンツはその移動距離の大きさに対して予め決められた割合で小さくなるように自動調節されることを特徴とする。
【００１８】
上記タッチドラッグ入力段階及び区分線移動段階が実行されるに伴い、上記区分線を境界とする両側画面区域に表示されるコンテンツの大きさと個数がその移動距離に対して予め決められた割合で自動的に増減されることを特徴とする。
【００１９】
上記タッチドラッグ入力段階及び区分線移動段階を介して任意の区分線を他の区分線に重なるようにし、二つ以上の画面区域を統合させ得ることを特徴とする。
【発明の効果】
【００２０】
上記の構成からなる本発明によれば、二つ以上の区域（第１〜第Ｎ区域）に分割された画面上に複数のコンテンツが出力されている状態で、ユーザーが事前に設定されたタッチ入力を介して第１区域の表示コンテンツを一定方向にスクロールして表示領域を移動させる場合は、残りの他の区域のコンテンツが同じ方向に連動して上記第１区域に移動しながら、当該区域の表示形式に従い自動変換し出力されるので、ユーザーはダブルクリックなど別途の煩わしいキー入力を行うことなく簡単なタッチ入力だけで画面をスクロールさせて、所望のコンテンツの詳細情報を自在にディスプレイして見ることができるだけでなく、制限された大きさの小さい画面を介しても全体的なコンテンツの配列状態と内容を一目で把握しながら、画面を最大限効率的に活用することができる効果がある。
【図面の簡単な説明】
【００２１】
【図１】本発明の１実施例に係るダイナミックタッチインタラクションを利用した分割画面連動表示制御機能が備えられた端末機の主要構成を示すブロック構成図である。
【図２】図１の構成からなる移動端末機の外観を説明するための図である。
【図３】ユーザーの機器操作と画面出力を例示した図である。
【図４】図１の構成からなる装置の動作を説明するためのフローチャートである。
【図５】本発明に係る画面スクロールによる分割画面連動過程を説明するための図である。
【図６】画面区域区分線の移動を説明する図である。
【発明を実施するための形態】
【００２２】
以下、図を参照して本発明に係る実施例を説明する。
【００２３】
以下の説明で用いられる構成要素に対する接尾語「モジュール」及び「部」は、説明の容易さだけを考慮されて付与するか混用して使用されるものであって、それ自体で互いに区別する意味又は役割を有するものではない。
【００２４】
図１は、本発明の１実施例に係るダイナミックタッチインタラクションを利用した分割画面連動表示制御機能が備えられた端末機の主要構成を現わすブロック構成図である。      
【００２５】
本発明の１実施例では、車用ナビゲーション装置に適用された事例を説明しているが、これは一つの具現例を説明するだけで、ユーザーが便宜に従い携帯するか、または他の利用手段に移動して設置される端末機でもあり得て、その形態においても携帯電話、スマートフォン、ノート型パソコン（ｌａｐｔｏｐ  ｃｏｍｐｕｔｅｒ）、デジタル放送受信端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、タブレットコンピューターなど多様な形態で具現される。
【００２６】
一方、図１に示したように、本発明の１実施例に係る車用移動端末機は無線通信部１１０、Ａ／Ｖ（Ａｕｄｉｏ／Ｖｉｄｅｏ）  入力部１２０、ユーザー入力部１３０、画面表示コンテンツ貯蔵部１４０、出力部１５０、メモリ１６０、インターフェース部１７０、制御部１８０及び電源供給部１９０で構成される。
【００２７】
上記無線通信部１１０は、移動端末機１００と無線通信システムとの間、又は移動端末機１００と該移動端末機が位置した地域に提供されるネットワークの間の無線通信を可能にする一つ以上のモジュールを含む。すなわち、例えば上記無線通信部１１０は、放送受信モジュール１１１、移動通信モジュール１１２、無線インターネットモジュール１１３、近距離通信モジュール１１４及び位置情報モジュール１１５などを含む。
【００２８】
放送受信モジュール１１１は、アンテナを介して放送信号を受信するか、別途放送チャンネルを介して外部の放送管理サーバーから放送関連情報を受信するものであり、上記放送チャンネルは衛星チャンネル、地上波チャンネルを含む。
【００２９】
一方、上記放送管理サーバーは、放送信号及び／又は放送関連情報を生成して送信するサーバー、または既生成された放送信号及び／又は放送関連情報の提供を受けて端末機に送信するサーバーを意味する。さらに、上記放送信号はＴＶ放送信号、ラジオ放送信号、交通情報（例えば、ＴＰＥＧ情報）などのデータ放送信号を含むだけでなく、ＴＶ放送信号又はラジオ放送信号にデータ放送信号が結合された形態の放送信号も含まれる。
【００３０】
上記放送関連情報は、放送チャンネル、放送プログラム、又は放送サービス提供者に係る情報を含むもので、上記移動通信モジュール１１２により移動通信網を介して受信されるか、上記無線インターネットモジュール１１３を介してＩＰコンテンツの形式で提供される。
【００３１】
さらに、上記放送関連情報は  ＤＭＢ（Ｄｉｇｉｔａｌ  Ｍｕｌｔｉｍｅｄｉａ  Ｂｒｏａｄｃａｓｔｉｎｇ）の  ＥＰＧ  （Ｅｌｅｃｔｒｏｎｉｃ  Ｐｒｏｇｒａｍ  Ｇｕｉｄｅ）又はＤＶＢ−Ｔ（Ｄｉｇｉｔａｌ  Ｖｉｄｅｏ  Ｂｒｏａｄｃａｓｔ−Ｔｅｒｒｅｓｔｒｉａｌ）、ＤＭＢ−Ｓ（Ｄｉｇｉｔａｌ  Ｍｕｌｔｉｍｅｄｉａ  Ｂｒｏａｄｃａｓｔｉｎｇ−Ｓａｔｅｌｌｉｔｅ）、ＭｅｄｉａＦＬＯ（Ｍｅｄｉａ  Ｆｏｒｗａｒｄ  Ｌｉｎｋ  Ｏｎｌｙ）、ＤＶＢ−Ｈ（Ｄｉｇｉｔａｌ  Ｖｉｄｅｏ  Ｂｒｏａｄｃａｓｔ−Ｈａｎｄｈｅｌｄ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔ−Ｔｅｒｒｅｓｔｒｉａｌ）  などの多様なデジタル放送システムを利用して受信される。上記放送受信モジュール１１１は、上述したデジタル放送受信装置を含み、必要に応じてアナログ放送を含んで上述した例で提示されなかった他の形式の放送システムに適して構成される。
【００３２】
上記放送受信モジュール１１１を介して受信された放送信号及び／又は放送関連情報は、必要に応じてメモリ１６０に貯蔵される。
【００３３】
移動通信モジュール１１２は、移動通信網上で基地局、外部の端末、サーバーのうちの少なくともいずれか一つと無線信号を送受信する。上記無線信号は、音声呼び信号、画像通話呼び信号、又は文字／マルチメディアメッセージ送受信に伴う様々な形態のデータを含む。
【００３４】
無線インターネットモジュール１１３は、無線インターネット接続のための構成であって、移動端末機１００内に内蔵されるか外蔵の形態で結合される。
【００３５】
無線インターネット技術としては、ＷＬＡＮ（Ｗｉｒｅｌｅｓｓ  ＬＡＮ）（Ｗｉ−Ｆｉ）、  Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）  などが利用される。
【００３６】
一方、近距離通信モジュール１１４は、近距離通信（ｓｈｏｒｔ  ｒａｎｇｅ  ｃｏｍｍｕｎｉｃａｔｉｏｎ）を行う構成であって、ブルートゥース（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ；  Ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅなどが利用される。
【００３７】
上記位置情報モジュール１１５は、移動端末機１００の位置情報を獲得するための構成であって、その代表的な例として  ＧＰＳ（Ｇｌｏｂａｌ  Ｐｏｓｉｔｉｏｎ  Ｓｙｓｔｅｍ）  モジュールが利用される。      
【００３８】
制御部１８０は、この位置情報モジュール１１５により受信される  ＧＰＳ  衛星信号を総合的に演算して現在の位置を算出し、これを以後に説明するディスプレイ部１５１を介して地図上に表示するか、算出された結果に基づき走行方向、走行速度、径路案内などを行うことができる。
【００３９】
図１で、上記  Ａ／Ｖ  入力部１２０は映像情報と音声情報の入力を受けるための構成であって、カメラ１２１とマイク１２２  などが含まれる。カメラ１２１は、車用ブラックボックス（ｂｌａｃｋ  ｂｏｘ）  、録画モード（Ｒｅｃ．ｍｏｄｅ）でイメージセンサーにより得られる停止映像、又は動画などの画像フレームを生成する。生成された画像フレームは、ディスプレイ部１５１に表示される。
【００４０】
一方、カメラ１２１で生成された画像フレームは、メモリ１６０に貯蔵されるか無線通信部１１０を介して外部に送信される。カメラ１２１は、使用環境に従い２つ以上が備えられ、例えば前、後二方向以上の映像を同時に撮影するマルチチャンネル（ｍｕｌｔｉ−ｃｈａｎｎｅｌ）ブラックボックス機能を具現することができる。
【００４１】
マイク１２２は、通話モード、録音モード又は音声認識モードなどでマイクロフォン（Ｍｉｃｒｏｐｈｏｎｅ）により外部の音響情報の入力を受け、これを電気的な音声信号に変換して処理する。変換された音声信号は、通話モードの場合、上記移動通信モジュール１１２により移動通信基地局で送信可能な形態に処理され、アンテナを介して出力され、ユーザーは径路探索のために目的地や出発地などを自分の音声を介して直接入力することができる。マイク１２２には、外部の音響信号の入力を受ける過程で発生する雑音（ｎｏｉｓｅ）を除去するための様々な雑音除去アルゴリズムが具現される。
【００４２】
ユーザー入力部１３０は、ユーザーの操作に伴い装置全般の動作を制御するための入力情報を発生する構成であって、キーパッド（ｋｅｙ  ｐａｄ）、ドームスイッチ（ｄｏｍｅ  ｓｗｉｔｃｈ）、タッチパッド（定圧／静電）、ジョグホイール（ｊｏｇ  ｗｈｅｅｌ）、ジョグスイッチなどで構成され得る。出力部１５０は、移動端末機１００がユーザーの命令を処理して規定された信号処理プロセスを介し、ユーザーが五感を介して認知することのできる信号として結果を表出手段であって、代表的な出力装置であるディスプレイ部１５１と音響出力モジュール１５２が備えられる。ディスプレイ部１５１は、移動端末機１００で処理されたデータを視覚的な情報として画面上に出力するが、例えば移動端末機がナビゲーションモードの場合、車両運行と関連した現在の位置、目的地、径路などの情報と指導、速度、方向、距離指示などを画面上に表示し、これと関連したユーザーインターフェース（ｕｓｅｒ  ｉｎｔｅｒｆａｃｅ）を提供し、ブラックボックスモード又は撮影モードである場合は、撮影した映像又はＵＩ（又は  ＧＵＩ；Ｇｒａｐｈｉｃ  Ｕｓｅｒ  Ｉｎｔｅｒｆａｃｅ）を提供する。
【００４３】
一方、ディスプレイ部１５１は、液晶ディスプレイ（ＬＣＤ；Ｌｉｑｕｉｄ  Ｃｒｙｓｔａｌ  Ｄｉｓｐｌａｙ）、薄膜トランジスタ液晶ディスプレイ（ＴＦＴ  ＬＣＤ；  Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ）、有機発光ダイオード（ＯＬＥＤ；  Ｏｒｇａｎｉｃ  Ｌｉｇｈｔ−Ｅｍｉｔｔｉｎｇ  Ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）、見る方向に従い異なる映像が表示されるデュアルディスプレイ（例えば、一つのディスプレイを運転席から見れば地図が見え、  助手席から見れば放送画面が見える出力装置）のうち少なくとも一つを含む。
【００４４】
上記多様なディスプレイ装置のうち一部は、外部を透視することのできる透明型又は光透過型で具現されるが、ＴＯＬＥＤ（Ｔｒａｎｓｐａｒａｎｔ  ＯＬＥＤ）が代表的に用いられ、上記ディスプレイ部１５１の裏面、すなわち後方構造もまた光透過型構造に具現される。このような構造によりユーザーは、端末機ボディー（ｂｏｄｙ）のディスプレイ部１５１を占める領域を介して端末機のボディーの後方に位置する事物を見ることができる。
【００４５】
さらに、移動端末機１００の具現形態に伴いディスプレイ部１５１を２つ以上設定できて、例えば複数のディスプレイ手段が一つの面に離隔された形態で、又は一体に配置され得ることもあり、又は互いに他の面に分けられてそれぞれ配置されることもある。
【００４６】
ディスプレイ部１５１とユーザーのタッチ動作を感知するセンサー（以下、「タッチセンサー」という）が、レイヤー（ｌａｙｅｒ）  構造をなす場合（以下、「タッチスクリーン」という）、上記ディスプレイ部１５１は出力装置以外に入力装置にも用いられ、上記タッチセンサーは、例えばタッチフィルム、タッチシーツ、タッチパッドなどの形態を有する。タッチセンサーは、ディスプレイ部１５１の特定部位に加えられた圧力、又は静電容量の変化を電気的な入力信号に変換するようにしたもので、上記ユーザー入力部１３０又は出力部１５０に設置され、タッチされる位置及び面積だけでなく、タッチ時の圧力までも検出できるように構成される。
【００４７】
タッチセンサーに対するタッチ入力のある場合、接触に対応する信号が発生してタッチ制御機（図示されない）に送信され、タッチ制御機はこれを処理したデータを制御部１８０へ送信する。これにより、制御部１８０はディスプレイパネルのいずれの領域がタッチされたかを認知する。
【００４８】
以下では説明の便宜のため、上記タッチスクリーン上にポインタが接触されていないが、近接して上記ポインタが上記タッチスクリーン上に位置することを認識するようにする行為を「近接タッチ（ｐｒｏｘｉｍｉｔｙ  ｔｏｕｃｈ）」と称し、上記タッチスクリーン上にポインタが実際に接触される行為を  「接触タッチ（ｃｏｎｔａｃｔ  ｔｏｕｃｈ）」と称することにする。上記タッチスクリーン上でポインタにより近接タッチが行われる位置は、上記ポインタがスクリーンに近接する時、ポインタから上記タッチスクリーンに対し垂直に延長線を下げた時の対応する位置に指定されるように具現される。
【００４９】
さらに、タッチスクリーンは、同時に二つ以上の地点に加えられたタッチ信号を感知することもできるが、これを「マルチタッチ（ｍｕｌｔｉ−ｔｏｕｃｈ）」と言う。
【００５０】
一方、音響出力モジュール１５２は、マルチメディアファイル再生モード、放送受信モードなどで無線通信部１１０から受信するか、メモリ１６０に貯蔵されたオーディオデータを可聴音の音響で出力することができる。音響出力モジュール１５２は、移動端末機１００で行われる機能と関連した音声案内（例えば、警告音、報知音、径路案内音声など）を出力することができ、レシーバー（ｒｅｃｅｉｖｅｒ）、スピーカー（ｓｐｅａｋｅｒ）、ブザー（ｂｕｚｚｅｒ）  などで構成される。
【００５１】
メモリ１６０は、上記制御部１８０のデータ処理及び制御のためのプログラムを貯蔵し、  電話帳、地図情報、  オーディオ及び映像情報などのようなコンテンツ資料をデータで保管し、上記ユーザー入力部１３０  又は出力部１５０を介して入出力されるデータを臨時貯蔵する機能を行う。
【００５２】
メモリ１６０には、上記データなどそれぞれに対する使用頻度（例えば、よく行く目的地、  各マルチメディアファイルに対する使用頻度）のデータも貯蔵され、  上記タッチスクリーン上のタッチ入力時、認知される多様なパターンの震動及び音響に関するデータを貯蔵することができる
【００５３】
メモリ１６０は、フラッシュメモリタイプ（ｆｌａｓｈ  ｍｅｍｏｒｙ  ｔｙｐｅ）、  ハード  ディスク  タイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、ＳＤ又はＸＤのようなカードタイプ、ラム（ＲＡＭ；Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ロム（ＲｅａｄＯｎｌｙＭｅｍｏｒｙ）（ＲＯＭ；Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ  （Ｐｒｏｇｒａｍｍａｂｌｅ  Ｒｅａｄ−Ｏｎｌｙ  Ｍｅｍｏｒｙ）、磁気メモリ、磁気ディスク、光ディスクのうちいずれか一つのタイプからなる貯蔵媒体を含む。
【００５４】
一方、移動端末機１００は、インターネット上で上記メモリ１６０のデータ貯蔵機能の代わりに行うウェブストレージ（ｗｅｂ  ｓｔｏｒａｇｅ）と連動するように構成することもできる。
【００５５】
インターフェース部１７０は、移動端末機１００に連結する全ての外部機器との通路役割を行う。インターフェース部１７０は外部機器からデータの送信を受けたり、電源の供給を受けて移動端末機１００  内部の各構成要素に伝達したり、移動端末機１００  内部で処理したデータを外部機器に送信する窓口（ｄｅｖｉｃｅ）でもある。
【００５６】
該インターフェース部１７０には、有／無線ヘッドセットポート、外部充電器ポート、  有／無線データポート、ビデオ  Ｉ／Ｏ（Ｉｎｐｕｔ／Ｏｕｔｐｕｔ）  ポート、イヤホンポートなどが含まれる。
【００５７】
上記インターフェース部１７０は、移動端末機１００が外部クレイドル（ｃｒａｄｌｅ）と連結する時、上記クレイドルからの電源が上記移動端末機１００に供給される通路となり、ユーザーにより上記クレイドルから入力される各種命令信号を移動端末機１００へ伝達する通路となる。上記クレイドルから入力される各種命令信号、又は電源は移動端末機１００が上記クレイドルに正確に取り付けられたことを認知するための信号として利用されることもある。
【００５８】
制御部１８０は移動端末機の全般的な動作を制御する構成部であって、データ通信、径路検索、ブラックボックス録画などのための制御及びデータ処理を行う。制御部１８０には、マルチメディア再生のためのマルチメディアモジュール１８１が備えられる。
【００５９】
さらに、上記制御部１８０には、上記タッチセンサーを介して入力される信号を規定された基準に従い解釈して相応する命令語に変換するタッチインタラクション  （ｉｎｔｅｒａｃｔｉｏｎ）  モジュール１８２が備えられる。
【００６０】
図１で参照番号１４０は、上記制御部１８０の統制に従いディスプレイ部１５１を介して出力する複数のコンテンツをその表示する区域に従い規定された形式に分割して貯蔵する画面表示コンテンツ貯蔵部であって、各区域別に割り当てられた貯蔵部１４１〜１４３には上記制御部１８０からの所定制御信号に従い各区域に表示するコンテンツと、該コンテンツの表示形式がデータに貯蔵される。
【００６１】
画面表示コンテンツ貯蔵部１４０は、図１に例示したように、上記メモリ１６０と別個に構成され得ることもあるが、必要に応じて上記メモリ１６０内部に具現されることもあり、別途の分割貯蔵モジュールを置かず上記制御部１８０がメモリ１６０に貯蔵されたコンテンツ情報を選択的にアクセスして、ディスプレイ画面上に区域別に変換して出力するように具現することもできる。
【００６２】
一方、上記マルチメディアモジュール１８１、タッチインタラクションモジュール１８２は、必ずしも制御部１８０内に具現しなければならないものではなく、制御部１８０と別に具現されることもある。
【００６３】
電源供給部１９０は、制御部１８０の統制に従い装置全般に動作電源を供給する。
【００６４】
図２は、図１の構成からなる移動端末機１００の外観を説明するための図である。図２に示した移動端末機は、バー形態のボディーを備えた例であるが、２以上のボディーが結合したスライドタイプ、フォルダタイプ、スイングタイプ、スイベルタイプなど多様な構造に適用される。
【００６５】
移動端末機のボディーは、外形を成すケース（ケーシング、ハウジング、カバーなど）を含み、該ケースは合成樹脂を射出して形成するか、例えばステンレススチール（ＳＴＳ）  又はチタン（Ｔｉ）  などのような金属材質で製作される。
【００６６】
移動端末機１００のボディーには、ディスプレイ部１５１、音響出力モジュール１５２、カメラ１２１、ユーザー入力部１３０、マイク１２２、インターフェース部１７０などが配置される。
【００６７】
ディスプレイ部１５１は、フロントケースの前面である主面の大部分を占める。ディスプレイ部１５１の上部には音響出力モジュール１５２とカメラ１２１が配置され、下部には入力ボタン１３１とマイク１２２が配置され、ユーザー入力部１３０の他の入力手段とインターフェース部１７０  などはフロントケース及び／又はリアケースの側面に配列される。
【００６８】
ユーザー入力部１３０は、ユーザーから移動端末機１００の動作を制御するための命令の入力を受けるための構成であり、複数の操作ユニット（ｕｎｉｔ）などを含む。  操作ユニット等は、操作部（ｍａｎｉｐｕｌａｔｉｎｇ  ｐｏｒｔｉｏｎ）とも通称されるが、ユーザーの接触により操作される方式（ｔａｃｔｉｌｅ  ｍａｎｎｅｒ）であれば、如何なる方式でも採用される。
【００６９】
操作ユニットなどにより入力される内容は、多様に設定され得る。例えば、  第１操作ユニットは、開始、終了及びスクロールなどのような命令の入力を受け、第２操作ユニットは音響出力モジュール１５２から出力される音響の大きさの調節、及びディスプレイ部１５１のタッチ認識モードへの切替えなどの命令の入力を受ける。
【００７０】
ディスプレイ部１５１には多様な種類の視覚情報が表示され得るが、これら情報などは文字、数字、記号、グラフィック又はアイコンなどの形態で表示される。
【００７１】
これらは、一定配列をなしてキーパッドの形態で表示され、ユーザーが望む字形を選択してタッチすることにより、当該情報を入力するか機能を選択することができるが、これを所謂「仮想キーパッド」（ｖｉｒｔｕａｌ  ｋｅｙｐａｄ）と言う。
【００７２】
図３は、移動端末機の前面窓に備えられた仮想キーパッドに加えられるタッチ入力を介してユーザーが情報を入力する過程を現わしている。ディスプレイ部１５１は、全体領域で作動するか、複数の領域などに分けて作動する。後者の場合、  上記複数の領域は、相互関連して作動するように構成される。
【００７３】
例えば、ディスプレイ部１５１の上部と下部にはそれぞれ出力窓１５１ａと入力窓１５１ｂが配置され、入力窓１５１ｂには住所／番地などの入力のために数字が表示された仮想キーパッド１５１ｃが出力される。仮想キーパッド１５１ｃがタッチされると、タッチされた地点に対応する数字などが出力窓１５１ａの一側領域に表示される。
【００７４】
さらに、ディスプレイ部１５１にレイヤー構造として具現されたタッチパッドは、ドラッグ（ｄｒａｇ）によるタッチ入力を認知し、それに相応する処理を行う。
【００７５】
ユーザーは、指などを利用してディスプレイ部１５１上の上記タッチパッド表面上に接触状態を維持した状態でタッチ地点をドラッグすることにより、ディスプレイ部１５１に表示された個体（例えば、アイコンなどに扮したカーソル又はポインタ）を移動することができる。さらに、ユーザーが指をディスプレイ部１５１上のタッチパッド上で移動させる場合、指の動く径路がディスプレイ部１５１に視覚的に表示されるようになっているので、ディスプレイ部１５１に表示するイメージを編集する時、有効に用いられる。図３に示されたディスプレイ部１５１は、上述の機能が備えられたタッチスクリーンに具現されるものとする。
【００７６】
次いで、図４に示されたフローチャートを参照し、上記の構成でなる装置の動作を説明する。
【００７７】
ディスプレイ部１５１で特定オブジェクトを指すか、メニューを選択するための矢印又は指形態のグラフィックはポインタ（ｐｏｉｎｔｅｒ）  、又はカーソル  （ｃｕｒｓｏｒ）と呼称される。  しかし、ポインタの場合、タッチ操作などのための指やスタイラスペンなどを意味するものと混用される場合が多い。したがって、本明細書ではこの二つを明らかに区分するためにディスプレイ部１５１に表示されるグラフィックをカーソルと称し、指やスタイラスペンのようにタッチ、近接タッチ、ジェスチャ（ｇｅｓｔｕｒｅ）を行うことができる物理的手段をポインタと称することにする。
【００７８】
図４は、本発明の１実施例に係る分割画面連動表示制御機能が備えられた移動端末機の動作を説明するためのフローチャートである。
【００７９】
ユーザーが移動端末機１００のユーザー入力部１３０に備えられた任意の機能ボタンを選択すると（ＳＴ  ４１０）、制御部１８０は上記メモリ１６０に貯蔵されたデータを読み出してユーザーの機能選択に符合するデータ処理を行い（ＳＴ  ４２０）、その結果を図５に例示したように、上位代表項目が表示される第１区域（１）と第２区域（２）、そして下位詳細情報が表示される第３領域（３）に区分して画面上に出力する  （ＳＴ  ４３０）。
【００８０】
この時、第１及び第２区域に出力されるコンテンツは、例えば制限された大きさの画面に多数の項目を出力するのに適するように、小さい大きさのアイコン形態となったリストの形式で画面上に出力され、第３区域に出力されるコンテンツは具体的な詳細情報を列挙した形式であって、上記第３区域に出力される詳細情報はユーザーが上記第１又は第２区域に表示された代表情報の項目をダブルクリック又はダブルタッチを介して選択した時、出力される内容のコンテンツに設定される。
【００８１】
次いで、図５に例示したように、ユーザーが例えば指を画面にタッチした状態で画面の上側方向に所定距離ほど引いてタッチ入力を行えば、制御部１８０は上記タッチインタラクションモジュール１８２を介してユーザーによるタッチ入力が、例えばドラッグ入力のような規定されたタッチ入力なのかを確認し（ＳＴ  ４４０）、規定されたタッチ入力と確認されれば、上記各区域（１）、（２）、（３）の画面に出力されたコンテンツをユーザーのドラッグ入力方向、すなわち上側方向に流れるようにスクロールさせる  （ＳＴ  ４５０）。
【００８２】
一方、上記タッチ入力は、タッチ地点をドラッグ（ｄｒａｇ）するか、又はフリック（ｆｌｉｃｋ）の方法で実行する。
【００８３】
この時、制御部１８０はユーザーのドラッグ入力に伴うスクロールにより、各区域（１）、（２）、（３）の画面表示領域から離脱するコンテンツを確認して（ＳＴ  ４６０）、離脱するコンテンツ情報をスクロール方向の隣接区域に移転すると共に、当該コンテンツを移転する表示区域の出力形式に合うように変換して出力する  （ＳＴ  ４７０）。
【００８４】
その結果、コンテンツのスクロール（ｓｃｒｏｌｌ  ｕｐ）により第１  区域（１）の画面から上端に外れるコンテンツは、第２  区域（２）の下端にまるで連結するように連続性を有する形態に移転して表示され、同様に第２区域（２）の上端に位置していたコンテンツは第３区域（３）の下端へ移転しながらダブルクリックした時、出力される詳細情報に変換出力される。
【００８５】
上記のスクロールアップ以外の方向、すなわち下側、右側、左側方向へのスクロールのためのドラッグ入力が実行されれば、制御部１８０は上述したような動作原理でドラッグ方向へコンテンツ移転を実行し  、移転されるコンテンツは当該区域の表示形式に合わせて自動変換して出力される。
【００８６】
すなわち、上記実施例によれば、画面をそれぞれ他の表示形式を有する二つ以上の区域（第１〜第Ｎ区域）に分割し、ユーザーが予め設定されたタッチ入力を介して第１区域の表示コンテンツを一定方向にスクロールして表示領域を移動させると、残りの区域のコンテンツが同じ方向に連動されて隣接区域の画面に移動しながら、当該区域の表示形式に従い自動変換されて出力される、ダイナミックタッチインタラクションを利用した分割画面連動表示制御装置を実現することができる。
【００８７】
上記実施例においては、画面に表示するコンテンツを上位の代表情報と下位の詳細情報に区分し、それぞれの情報を各分割した画面区域に分けて表示する事例を説明したが、  画面上に複数の項目がリスト化されたメニューを表示することも有用に活用できる。
【００８８】
すなわち、画面にメニューを出力する場合、上記第１、第２区域に表示される項目は大きさが小さく個数の多いアイコン形式に表示されるようにし、上記第３区域に表示される項目は相対的に大きさが大きく個数が少なくてより詳細な情報を盛った形式で表現することにより、ユーザーにさらに便利な項目照会及び機能選択環境を提供できる。
【００８９】
さらに、ユーザーは図６に示したように、上記画面区域の境界をなす区分線の領域（４）をタッチした状態で左右にドラッグして画面区域の大きさを調節するか、隣接した二つの画面区域を統合することができるので、例えば上記区分線の領域（４）がユーザーのドラッグにより左に移動され、第３  区域（３）の大きさが小さくなれば上記第３  領域（３）の項目の大きさもこれと連動して小さくなり項目の数は増加し、右側に移動して第３区域（３）の大きさが大きくなれば、項目の大きさもこれと連動して大きくなり、反面項目の数は減少するように具現することができる。
【００９０】
すなわち、ユーザーは上記画面区域間区分線領域（４）を左右に移動させることにより、各画面区域に表示する項目の数と大きさを自在に調節することができ、これを介して望む項目のコンテンツを希望する大きさに拡大、又は縮小して見ることができるようになる。
【００９１】
本発明は上記実施例に限定されることなく、本発明の技術的要旨を外れない範囲内で多様に変形して実施することができる。例えば、制御部１８０は上記  ＳＴ  ４３０  及び  ＳＴ  ４７０  段階での各区域（１）、（２）、（３）の画面出力過程において、各区域の画面に出力するコンテンツ情報を先ず区域別に分割して上記画面表示コンテンツ貯蔵部１４０の区域別に割り当てられた各貯蔵領域に分離して貯蔵するプロセスを経ることもでき、別途の分割貯蔵過程を経ずに上記メモリ１６０から画面の各区域に出力する情報を直ちにアクセスして出力するように具現することもできる。
【００９２】
さらに、タッチスクリーンを分割する割合及びそれぞれの分離した領域に表示されるコンテンツの種類は、移動端末機の製作時に予め設定されるかユーザーにより任意に指定できる。
【００９３】
一方、本発明に係る諸々の機能は、別途のハードウェアを追加することにより具現することもできるが、プログラムが記録された媒体にプロセッサが読み出し可能なコードとして具現することができ、上記媒体にはＲＯＭ、ＲＡＭ、ＣＤ−ＲＯＭ、磁気テープ、フロッピー（登録商標）ディスク、  光データ貯蔵装置などがあり、キャリアウェーブ（例えば、インターネットを介した送信の場合）の形態で具現することも可能である。
【００９４】
本発明は、上記実施例の構成に限定されず各実施例に開示した構成の全部、又は一部を選択的に組み合わして構成することもできる。
【産業上の利用可能性】
【００９５】
本発明は、タッチスクリーンが備えられた移動端末機における画面出力制御技術に係り、ダイナミックタッチインタラクションを利用した分割画面連動表示制御方法及びその装置の分野に適用できる。
【符号の説明】
【００９６】
１００  移動端末機
１１０  無線通信部
１１１  放送受信モジュール
１１２  移動通信モジュール
１１３  無線インターネットモジュール
１１４  近距離通信モジュール
１１５  位置情報モジュール
１２０  Ａ／Ｖ入力部
１２１  カメラ
１２２  マイク
１３０  ユーザー入力部
１４０  画面表示コンテンツ貯蔵部
１４１  第１区域コンテンツ貯蔵部
１４２  第２区域コンテンツ貯蔵部
１４３  第３区域コンテンツ貯蔵部
１５０  出力部
１５１  ディスプレイ部        
１５２  音響出力モジュール
１６０  メモリ
１７０  インターフェース部
１８０  制御部
１８１  マルチメディアモジュール
１８２  タッチインタラクションモジュール
１９０  電源供給部
【図１】
2013120596.tif 000003
【図２】
2013120596.tif 000004
【図３】
2013120596.tif 000005
【図４】
2013120596.tif 000006
【図５】
2013120596.tif 000007
【図６】
2013120596.tif 000008